(57)【要約】      （修正有）【課題】洗車機本体を簡単な構成で小さくできる洗車機を提供する。【解決手段】スタンド部９０とスタンド部９０の上端を連結する天井部９１により門型に形成し、車両ＣＡに対して前後方向に移動しながら洗車する洗車機ＷＡであり、アーム部材７１ｂ、７２ｂと、これらの端部に配されて水平な回転軸で回転自在のブラシ本体７１ａ、７２ａと、を有して車両ＣＡの上面を洗浄する第１トップブラシ７１及び第２トップブラシ７２を備え、第１トップブラシは第１回動軸７１ｃによりアーム部材を回動可能に支持されるとともに、アーム部材の回動によって持ち上げられるブラシ本体が洗車機本体１の前方に突出して車両ＣＡの後部を洗浄し、第２トップブラシが第２回動軸７２ｃによりアーム部材を回動可能に支持されるとともに、アーム部材の回動によって持ち上げられるブラシ本体が洗車機本体１の後方に突出して車両ＣＡの前部を洗浄する。【選択図】図１
2014210469.tif 000002
【特許請求の範囲】
【請求項１】
左右に対向するスタンド部と前記スタンド部の上端を連結する天井部とを有して門型に形成されるとともに、被洗浄車両に対して前後方向に移動させながら被洗浄車両を洗車する洗車機本体を有する洗車機において、
前記洗車機本体に取り付けられるアーム部材と、前記アーム部材の端部に配されて水平な回転軸で回転自在のブラシ本体と、を有して被洗浄車両の上面を洗浄する第１トップブラシ及び第２トップブラシを備え、
第１トップブラシは前記洗車機本体の前部に配される第１回動軸により前記アーム部材を回動可能に支持されるとともに、前記アーム部材の回動によって持ち上げられる前記ブラシ本体が前記洗車機本体の前方に突出して被洗浄車両の後部を洗浄し、
第２トップブラシが前記洗車機本体の後部に配される第２回動軸により前記アーム部材を回動可能に支持されるとともに、前記アーム部材の回動によって持ち上げられる前記ブラシ本体が前記洗車機本体の後方に突出して被洗浄車両の前部を洗浄することを特徴とする洗車機。
【請求項２】
左右一対で上下に延びる案内部と、前記案内部に昇降可能に設けられて被洗浄車両の上面に空気を送風するノズル口と、を有するトップ送風ノズルを前記洗車機本体に備え、
前記アーム部材が前記案内部と側面投影において一部が重なるように配置されたことを特徴とする請求項１に記載の洗車機。
【請求項３】
前記案内部が前記洗車機本体の前部に設けられるとともに、第１回動軸が前記案内部よりも前記スタンド部の後面側に配されることを特徴とする請求項２に記載の洗車機。
【請求項４】
前記案内部が前記洗車機本体の後部に設けられるとともに、第２回動軸が前記案内部よりも前記スタンド部の正面側に配されることを特徴とする請求項２に記載の洗車機。
【発明の詳細な説明】
【技術分野】
【０００１】
本発明は、被洗浄車両の上面を洗浄するトップブラシを複数備えた洗車機に関する。
【背景技術】
【０００２】
給油所等に設置される従来の洗車機は特許文献１に開示される。洗車機は洗車機本体を備えている。洗車機本体は門型に形成され、被洗浄車両を跨いで前後方向に移動する。洗車機本体の前部及び後部には被洗浄車両の上面を洗浄するトップブラシが設けられる。
【０００３】
それぞれのトップブラシはブラシ本体及び高さ調整手段が設けられている。ブラシ本体は左右方向に延びる回転軸でモータにより回転し、高さ調整手段により支持される。高さ調整手段は鉛直方向に昇降可能に洗車機本体に設けられている。
【０００４】
ユーザが所望の洗車条件を設定すると、洗車機本体は被洗浄車両の方へ移動する。この時、洗車機本体の前部に設けられるトップブラシが被洗浄車両の後部から中央部を被洗浄車両の上面に沿って摺動しながら洗浄する。その後、洗車機本体の後部に設けられるトップブラシが被洗浄車両の中央部から前部を被洗浄車両の上面に沿って摺動しながら洗浄する。
【先行技術文献】
【特許文献】
【０００５】
【特許文献１】特開平１１−２２２１０８号公報
【発明の概要】
【発明が解決しようとする課題】
【０００６】
しかしながら、上記従来の洗車機によると、高さ調整手段が洗車機本体に昇降可能に設けられるためには、上下方向に延びて形成されるガイドレール等の複雑な昇降機構が必要になる。このため、洗車機本体が大きくなる問題があった。
【０００７】
本発明は、洗車機本体を簡単な構成で小型化できる洗車機を提供することを目的とする。
【課題を解決するための手段】
【０００８】
上記目的を達成するために本発明は、左右に対向するスタンド部と前記スタンド部の上端を連結する天井部とを有して門型に形成されるとともに、被洗浄車両に対して前後方向に移動させながら被洗浄車両を洗車する洗車機本体を有する洗車機において、前記洗車機本体に取り付けられるアーム部材と、前記アーム部材の端部に配されて水平な回転軸で回転自在のブラシ本体と、を有して被洗浄車両の上面を洗浄する第１トップブラシ及び第２トップブラシを備え、第１トップブラシは前記洗車機本体の前部に配される第１回動軸により前記アーム部材を回動可能に支持されるとともに、前記アーム部材の回動によって持ち上げられる前記ブラシ本体が前記洗車機本体の前方に突出して被洗浄車両の後部を洗浄し、第２トップブラシが前記洗車機本体の後部に配される第２回動軸により前記アーム部材を回動可能に支持されるとともに、前記アーム部材の回動によって持ち上げられる前記ブラシ本体が前記洗車機本体の後方に突出して被洗浄車両の前部を洗浄することを特徴とする。
【０００９】
また、本発明は上記構成の洗車機において、左右一対で上下に延びる案内部と、前記案内部に昇降可能に設けられて被洗浄車両の上面に空気を送風するノズル口と、を有するトップ送風ノズルを前記洗車機本体に備え、前記アーム部材が前記案内部と側面投影において一部が重なるように配置されたことを特徴とする。
【００１０】
また、本発明は上記構成の洗車機において、前記案内部が前記洗車機本体の前部に設けられるとともに、第１回動軸が前記案内部よりも前記スタンド部の後面側に配されることを特徴とする。
【００１１】
また、本発明は上記構成の洗車機において、前記案内部が前記洗車機本体の後部に設けられるとともに、第２回動軸が前記案内部よりも前記スタンド部の正面側に配されることを特徴とする。
【発明の効果】
【００１２】
本発明によると、第１トップブラシのアーム部材の回動によって持ち上げられる第１トップブラシのブラシ本体が前記洗車機本体の前方に突出して被洗浄車両の後部を洗浄し、第２トップブラシのアーム部材の回動によって持ち上げられる第２トップブラシのブラシ本体が洗車機本体の後方に突出して被洗浄車両の前部を洗浄するため、洗車機本体を小さくすることができる。
【図面の簡単な説明】
【００１３】
【図１】本発明の実施形態の洗車機を示す側面図
【図２】本発明の実施形態の洗車機を示す正面図
【図３】本発明の実施形態の洗車機の洗車機本体を示す側面図
【図４】本発明の実施形態の洗車機の洗車機本体を示す側面図
【図５】本発明の実施形態の洗車機の洗車機本体を示す側面図
【図６】本発明の実施形態の洗車機の洗車機本体を示す側面図
【図７】本発明の実施形態の洗車機の洗車機本体を示す側面図
【発明を実施するための形態】
【００１４】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル７Ａを備えている。洗車機本体１は左右の対向する２つのスタンド部９０と、スタンド部９０の上端を連結する天井部９１とを有して門型に形成される。
【００１５】
レール２は地面Ｇに左右一対設けられ、洗車機本体１の底面に設けた車輪３がレール２上に配される。これにより、洗車機本体１はレール２上に立設し、走行モータ（不図示）の駆動によりレール２上を走行して被洗浄車両ＣＡ（図３参照）に対して前後に相対移動する。以下の説明において、洗車機本体１の被洗浄車両ＣＡが進入する側を前側とし、被洗浄車両ＣＡが退出する側を後側とする。また、被洗浄車両ＣＡは洗車前に前面を洗車機本体１の前面に対向して配される。
【００１６】
リモートパネル７Ａは洗車機本体１の進入経路上に配される。被洗浄車両ＣＡはリモートパネル７Ａの面前で停車し、ユーザは被洗浄車両ＣＡ内からリモートパネル７Ａの操作によって洗車条件の設定を行う。リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパー有り、ルーフキャリア有り等の装備品の設定もすることができる。
【００１７】
洗車機本体１の側方には洗剤やワックス等の各種液剤を貯液した複数の貯液タンク（不図示）を収納するタンク収納部５０が配される。タンク収納部５０の上方には市水及び各貯液タンクからの液剤を分配する分配配管部５１が設けられる。分配配管部５１には第１、第２浄水ノズル１１、１３、第１、第２洗剤ノズル１２、１５、撥水コートノズル１４、ワックスノズル１６がそれぞれ電磁弁を介して導出される。
【００１８】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの洗浄液を噴射する。撥水コートノズル１４及びワックスノズル１６は洗車機本体１の後部に配される。撥水コートノズル１４は被洗浄車両ＣＡに対して撥水コート剤の液剤を噴射する。ワックスノズル１６は被洗浄車両ＣＡに対してワックスを噴射する。
【００１９】
また、洗車機本体１には気流を発生して被洗浄車両ＣＡを乾燥させるブロア２０が設けられる。ブロア２０にはサイド送風ノズル２２及びトップ送風ノズル２１が接続される。サイド送風ノズル２２は洗車機本体１の両側部に設けられ、被洗浄車両ＣＡの側面に向けて送風する。
【００２０】
トップ送風ノズル２１は案内部２１ｂ、シャフト２１ｃ及びノズル口２１ａを有している。案内部２１ｂは上下方向に延びて形成され、左右のスタンド部９０の前部に設けられている。シャフト２１ｃは左右に伸びて案内部２１ｂ上に形成され、ノズル口２１ａはシャフト２１ｃを介して案内部２１ｂに昇降可能に設けられる。これにより、トップ送風ノズル２１はブロア２０からの空気を被洗浄車両ＣＡの上面に送風する。
【００２１】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、各回転ブラシの初期位置、各ブロアの軌跡及び洗車機本体１の走行範囲が決められる。
【００２２】
洗車機本体１の一方のスタンド部９０の前面には操作パネル７が配される。操作パネル７はリモートパネル７Ａと同様に洗車条件を設定する操作ボタン（不図示）を備え、被洗浄車両ＣＡから降車したユーザ等の操作により洗車の受け付けや洗車条件の設定を行う。
【００２３】
洗車機本体１には被洗浄車両ＣＡ上に摺動してブラッシングする複数の回転ブラシが設けられる。回転ブラシはそれぞれ回転モータ（不図示）によって回転する。回転ブラシはサイドブラシ５、ロッカーブラシ６及びトップブラシから成る。サイドブラシ５及びロッカーブラシ６は被洗浄車両ＣＡの両側面を洗浄する。
【００２４】
トップブラシは第１トップブラシ７１及び第２トップブラシ７２から成る。第１トップブラシ７１は洗車機本体１の前部に配され、アーム部材７１ｂ及びブラシ本体７１ａを有している。アーム部材７１ｂは左右のスタンド部９０から前方に突出して形成され、クラッチ（不図示）を介してモータ（不図示）に連結される。クラッチを接続するとモータによりアーム部材７１ｂが第１回動軸７１ｃで回動し、クラッチを切断すると、アーム部材７１ｂは自由に回動する。
【００２５】
アーム部材７１ｂは正面投影においてトップ送風ノズル２１の案内部２１ｂに対してスタンド部９０の内側面９０ｂの反対側に配され、アーム部材７１ｂは案内部２１ｂと側面投影において一部が重なるように配置されている。
【００２６】
さらに、第１トップブラシ７１の第１回動軸７１ｃが案内部２１ｂよりもスタンド部９０の後面９０ｃ側に配されている。これにより、洗車機本体１の前後方向の長さを小さくすることができる。
【００２７】
第２トップブラシ７２は洗車機本体１の後部に配され、アーム部材７２ｂ及びブラシ本体７２ａを有している。アーム部材７２ｂは左右のスタンド部９０から後方に突出して形成され、クラッチを介してモータに連結される。クラッチを接続するとモータによりアーム部材７２ｂが第２回動軸７２ｃで回動し、クラッチを切断すると、アーム部材７２ｂは自由に回動する。
【００２８】
ブラシ本体７１ａ、７２ａはブラシ毛（不図示）を放射状に固着して形成され、アーム部材７１ｂ、７２ｂの端部に水平な回転軸７１ｄ、７２ｄで回転自在に設けられる。これにより、第１トップブラシ７１はアーム部材７１ｂの回動によって持ち上げられ、ブラシ本体７１ａが洗車機本体１の前方に突出して被洗浄車両ＣＡの後部から洗浄することができる。
【００２９】
また、第２トップブラシ７２はアーム部材７２ｂの回動によって持ち上げられ、ブラシ本体７２ａが洗車機本体１の後方に突出して被洗浄車両ＣＡの前部から洗浄することができる。なお、図１では第１トップブラシ７１、第２トップブラシ７２は洗浄開始前の待機位置に配されている。
【００３０】
なお、トップ送風ノズル２１が洗車機本体１の後部に配され、即ち、案内部２１ｂが洗車機本体１の後部に設けられるとともに、第２回動軸７２ｄが案内部２１ｂよりもスタンド部９０の正面９０ａ側に配されてもよい。
【００３１】
上記構成の洗車機ＷＡにおいて、ユーザが運転して被洗浄車両ＣＡをリモートパネル７Ａの面前で停車させ、所望する洗車条件の設定を被洗浄車両ＣＡ内から行う。その後、ユーザは所定の洗浄開始位置まで被洗浄車両ＣＡを移動させる。
【００３２】
図３〜図７は被洗浄車両ＣＡを洗車している洗車機本体１の側面図を示している。図３に示すように、洗車機本体１が前後方向に移動して被洗浄車両ＣＡを跨ぎ、第１トップブラシ７１が被洗浄車両ＣＡのルーフの中央部から後方の洗浄を開始する。
【００３３】
この時、第１トップブラシ７１のブラシ本体７１ａは矢印Ｄ１に示すように下部が後方に向かって回転し、ブラシ本体７１ａの自重により被洗浄車両ＣＡに対して圧力をかけて洗浄する。
【００３４】
図４に示すように、洗車機本体１がさらに前進し、第２トップブラシ７２が被洗浄車両ＣＡの前部の洗浄を開始する。この時、第２トップブラシ７２のブラシ本体７２ａは矢印Ｄ２に示すように下部が前方に向かって回転し、第１トップブラシ７１と同様に、ブラシ本体７２ａの自重により被洗浄車両ＣＡに対して圧力をかけて洗浄する。
【００３５】
その後、洗車機本体１がさらに前進して図５に示すように第１トップブラシ７１が被洗浄車両ＣＡのリアウィンドウを洗浄し、第２トップブラシ７２が被洗浄車両ＣＡのボンネットを洗浄する。そして、図６に示すように第１トップブラシ７１が被洗浄車両ＣＡの後端まで洗浄して第２トップブラシ７１が被洗浄車両ＣＡのルーフの中央部まで洗浄する。
【００３６】
その後、図７に示すように、第１トップブラシ７１及び第２トップブラシ７２は待機位置に配される。そして、各センサの検知結果に基づき、トップ送風ノズル２１のノズル口２１ａが被洗浄車両ＣＡの上面近傍に移動し、トップ送風ノズル２１の送風によって被洗浄車両ＣＡを乾燥させる。また、被洗浄車両ＣＡの側面はサイド送風ノズル２２の送風によって乾燥される。
【００３７】
本実施形態によると、アーム部材７１ｂの回動によって持ち上げられるブラシ本体７１ａが洗車機本体１の前方に突出して被洗浄車両ＣＡの後部を洗浄し、アーム部材７２ｂの回動によって持ち上げられるブラシ本体７２ａが洗車機本体ＣＡの後方に突出して被洗浄車両ＣＡの前部を洗浄する。このため、第１トップブラシ７１及び第２トップブラシ７２をアーム部材７１ｂ、７２ｂの回動によって簡単な構成で上下移動させることができる。従って、洗車機本体１を小型化することができる。
【００３８】
また、アーム部材７１ｂが案内部２１ｂと側面投影において一部が重なるように配置されたため、洗車機本体１の前後方向の大きさを小さくすることができる。
【００３９】
また、案内部２１ｂが洗車機本体１の前部に設けられるとともに、第１回動軸７２ｃが案内部２１ｂに対してスタンド部９０の正面９０ａの反対側に配されため、洗車機本体１の前後方向の大きさをより小さくすることができる。
【産業上の利用可能性】
【００４０】
本発明によると、被洗浄車両の上面を洗浄するトップブラシを複数備えた洗車機に利用することができる。
【符号の説明】
【００４１】
１    洗車機本体
２    レール
３    車輪
４    トップブラシ
５    サイドブラシ
６    ロッカーブラシ
７    操作パネル
７Ａ  リモートパネル
１４    撥水コートノズル
１６    ワックスノズル
２０    ブロア
２１    トップ送風ノズル
２１ａ  ノズル口
２１ｂ  案内部
２１ｃ  シャフト
２２    サイド送風ノズル
５２    車両検知センサ
７１    第１トップブラシ
７１ａ  ブラシ本体
７１ｂ  アーム部材
７１ｃ  第１回動軸
７１ｄ  回転軸
７２    第２トップブラシ
７２ａ  ブラシ本体
７２ｂ  アーム部材
７２ｃ  第２回動軸
７２ｄ  回転軸
９０    スタンド部
９０ａ  正面
９０ｂ  内側面
９０ｃ  後面
９１    天井部
ＷＡ    洗車機
ＣＡ    被洗浄車両
【図１】
2014210469.tif 000003
【図２】
2014210469.tif 000004
【図３】
2014210469.tif 000005
【図４】
2014210469.tif 000006
【図５】
2014210469.tif 000007
【図６】
2014210469.tif 000008
【図７】
2014210469.tif 000009